(57)【要約】【課題】本発明は、一般的な小型トラックで運搬できる茶葉収容コンテナ式走行型茶葉摘採機を提供することを課題としており、詳しくは、簡単な構造で容易で安全に分解や組立ができる茶葉収容コンテナを提供することを課題としている。【解決手段】本願発明の第１手段の走行型茶葉摘採機の茶葉収容コンテナは、茶畝を跨いで走行しながら茶葉を摘採する走行型茶葉摘採機において茶葉を収容する茶葉収容コンテナであって、該茶葉収容コンテナを天井壁、側壁、後部壁、下扉により構成し、前記茶葉収容コンテナを工具なしで分割し、組み立てるものである。【選択図】図１
2013233134.tif 000002
【特許請求の範囲】
【請求項１】
茶畝を跨いで走行しながら茶葉を摘採する走行型茶葉摘採機において茶葉を収容する茶葉収容コンテナであって、該茶葉収容コンテナを天井壁、側壁、後部壁、下扉により構成し、前記茶葉収容コンテナを工具なしで分割し、組み立てることを特徴とする走行型茶葉摘採機の茶葉収容コンテナ。
【請求項２】
前記茶葉収容コンテナは、前記下扉が前記後部壁に回動軸によって接続され、前記下扉を開閉自在とする開閉シリンダと前記下扉を回動軸によって接続されるとともに、前記回動軸を挿抜自在な部材で構成することを特徴とする請求項１記載の走行型茶葉摘採機の茶葉収容コンテナ。
【請求項３】
前記後部壁と前記側壁との接続部に嵌合部を設け、固定部材で固定することを特徴とする請求項２記載の走行型茶葉摘採機の茶葉収容コンテナ。
【請求項４】
前記天井壁と前記側壁とを回動自在に軸着することを特徴とする請求項３記載の走行型茶葉摘採機の茶葉収容コンテナ。
【発明の詳細な説明】
【技術分野】
【０００１】
本発明は、茶園において茶畝を跨いでその両側の畝間を走行しながら茶葉の摘採作業を行なう走行型茶葉摘採機に関するものであって、特に摘採した茶葉を収容するコンテナ（以下、茶葉収容コンテナとする）に関するものである。
【背景技術】
【０００２】
茶畝を跨いで走行をしながら茶葉を摘採する走行型茶葉摘採機は、摘採した茶葉を茶袋に収容するものと、茶袋より大容量の茶葉収容コンテナに収容するものとがある。収容コンテナに茶葉を収容する走行型茶葉摘採機は、茶袋に茶葉を収容する走行型茶葉摘採機と比べて大型であり、機体重量は一般的なトラック（茶袋に茶葉を収容する走行型茶葉摘採機を載せることができる）に車載可能範囲であっても、機体寸法が小型トラックの荷台寸法内に納まることができず、一般的な小型トラックに載せることができなかった。そのため、専用のキャリアカーで運搬しなければならなかった。しかし、専用のキャリアカーを個人の茶農家が所有していることはあまりなく、茶葉収容コンテナに茶葉を収容する走行型茶葉摘採機を導入する妨げになっていた。
【０００３】
走行型茶葉摘採機の普及を進めるため、近年では走行型茶葉摘採機の小型化が進められている。その一方で、茶葉収容コンテナに茶葉を収容する走行型茶葉摘採機に刈り落としダクト装置を取り付けるため、特許文献１には、収容系装置を折りたたみ自在とすることが記載されている。
【先行技術文献】
【特許文献】
【０００４】
【特許文献１】特開２００８−９２８５８号公報
【発明の概要】
【発明が解決しようとする課題】
【０００５】
特許文献１は茶葉収容コンテナを折りたたむものであり、折りたたむ順番など複雑で、折りたたみ時に危険が伴い、折りたたみ箇所の強度が弱くなる。
【０００６】
本発明は、一般的な小型トラックで運搬できる茶葉収容コンテナ式走行型茶葉摘採機を提供することを課題としており、詳しくは、簡単な構造で容易で安全に分解や組立ができる茶葉収容コンテナを提供することを課題としている。
【課題を解決するための手段】
【０００７】
本願発明の第１手段の走行型茶葉摘採機の茶葉収容コンテナは、茶畝を跨いで走行しながら茶葉を摘採する走行型茶葉摘採機において茶葉を収容する茶葉収容コンテナであって、該茶葉収容コンテナを天井壁、側壁、後部壁、下扉により構成し、前記茶葉収容コンテナを工具なしで分割し、組み立てるものである。
本願発明の第２手段の走行型茶葉摘採機の茶葉収容コンテナは、前記第１手段において、前記茶葉収容コンテナは、前記下扉が前記後部壁に回動軸によって接続され、前記下扉を開閉自在とする開閉シリンダと前記下扉を回動軸によって接続されるとともに、前記回動軸を挿抜自在な部材で構成するものである。
本願発明の第３手段の走行型茶葉摘採機の茶葉収容コンテナは、前記第２手段において、前記後部壁と前記側壁との接続部に嵌合部を設け、固定部材で固定するものである。
本願発明の第４手段の走行型茶葉摘採機の茶葉収容コンテナは、前記第３手段において、前記天井壁と前記側壁とを回動自在に軸着するものである。
【発明の効果】
【０００８】
本発明の装置のように、茶葉収容コンテナを分割することにより、走行型茶葉摘採機の前後長を短縮することができ、個人の茶農家に多く普及している小型トラックの荷台寸法に機体が収まるため、高価な専用のキャリアカーを用意する必要がなく、小型トラックにて茶葉収容コンテナに茶葉を収容する走行型茶葉摘採機を運搬することができる。
【０００９】
茶葉収容コンテナの分割や組立に工具を用いる必要がなく、簡単な構造で、安価な製品を提供することができ、分割作業及び組立作業を安全に行なうことができる。
【図面の簡単な説明】
【００１０】
【図１】走行型茶葉摘採機を前方から見た斜視図。
【図２】走行型茶葉摘採機を後方から見た斜視図。
【図３】茶葉収容コンテナから茶葉を取り出すときの側面図。
【図４】下扉を取外す斜視図。
【図５】下扉を取外す詳細図。
【図６】下扉を取外す詳細図。
【図７】後部壁を取外す斜視図。
【図８】後部壁を取外す詳細図。
【図９】天井壁を回動させる斜視図。
【図１０】天井壁を回動させる詳細図。
【図１１】トラックへ載置した図。
【発明を実施するための形態】
【００１１】
図面に基づいて説明をする。走行型茶葉摘採機１は、茶畝２０を挟んで２本のクローラ型の走行装置２、３を門型枠４でつなぎ、門型枠４の下に摘採装置５を設けてある。摘採装置５の後方には、茶葉収容コンテナ６を設けてある。摘採装置５と茶葉収容コンテナ６は輸送ダクト７、８で着脱自在につながっており、輸送ダクト７、８の先端は茶葉収容コンテナ６の上部に位置する。門型枠４の上には、ファン９、１０が設置してあり、フレキシブルな送風ダクト１１、１２で摘採装置５へ接続され、茶葉を送風している。
【００１２】
茶葉収容コンテナ６は、天井壁２１と側壁２２と後部壁２３と下扉２４とにより構成されており、アーム２５により茶葉収容コンテナ６は斜め後方に上昇し、開閉用シリンダ２６により下扉２４が開閉する。茶葉収容コンテナ６は、全部または一部を金網で構成している。下扉２４は、挿抜自在な回動軸２７により後部壁２３に軸着されており、前方が開閉する。開閉用シリンダ２６と下扉２４の接続部の回動軸２８も挿抜自在とする。後部壁２３は、側壁２２と着脱自在な固定部材２９により固定されている。天井壁２１は、側壁２２と蝶番３０によって回動自在に接続されており、必要に応じて回動させるため、不要時には回動しないように固定部材３１を備えている。
【００１３】
図１のように、運転席１３に作業者１４が座り、操縦部１５にて操縦をすることにより、走行型茶葉摘採機を走行させながら、茶葉の摘採を行なう。摘採した茶葉は、後部の茶葉収容コンテナ６の中に収容される。茶葉収容コンテナ６が満杯になったとき、又は茶畝１の一番端へ走行型茶葉摘採機が到着したとき、茶葉収容コンテナ６内の茶葉を茶葉運搬用のトラックなどへ移し変える。この時、図３のように、まずは、茶葉収容コンテナ６全体を斜め後方に上昇させ、開閉用シリンダ２６を伸ばして、下扉２４を後部壁２３と接続している回動軸２７を中心として開放する。茶葉の取出が終了したときは、開閉用エアシリンダ２６を縮ませて、後扉２３との回動軸２７を中心として下扉２４を閉鎖し、茶葉収容コンテナ６全体を斜め前方に下降させて、通常の位置に戻す。
【００１４】
茶園での摘採作業を終え、走行型茶葉摘採機１をトラックへ載せるときの茶葉収容コンテナ６の分割作業を説明する。まずは、図４、５、６に示すように、下扉２４を取り外す。開閉用シリンダ２６と下扉２４の接続部である回動軸２８を取外す。回動軸２８は、一方を抜けない構造とし、他方をスナップピン３２で抜けないようにしてあるため、スナップピン３２を取外して、開閉用シリンダ２６と下扉２４の接続部の開孔から回動軸２８を抜く。回動軸２７も回動軸２８と同様に、一方を抜けない構造とし、他方をスナップピン３３で抜けないようにしてあるため、スナップピン３３を取外して、後部壁２３と下扉２４の接続部の開孔から回動軸２７を抜く。すると、下扉２４は茶葉収容コンテナ６との接続部が無くなるので、作業者が下扉２４を保持しながら、取り外す。回動軸２７、２８の挿抜の手段については、この限りではない。
【００１５】
次に、図７、８に示すように、後部壁２３を取外す。後部壁２３と側壁２２の接続部の固定部材２９を全て解除し、作業者が後部壁２３を保持しながら、嵌合部３４を抜き、後部壁２３を取外す。本実施例の嵌合部３４は、側壁２２の凹部３５と後部壁２３の凸部３６とを嵌め合わせるものであるが、この逆でもよく、この嵌合部３４により高さ位置決めが容易となる。また、固定部材２９が嵌合部の機能を兼ね備えていてもよい。
【００１６】
次に、図９、１０に示すように、天井壁２１を下方へ回動させる。天井壁２１と側壁２２とは、固定部材３１により固定されている。この固定部材３１を解除することにより、側壁２２との接続部の蝶番３０のみが接続した状態となり、天井壁２１は自重で下方へ回動する。
【００１７】
このようにして茶葉収容コンテナ６の下扉２４と後部壁２３を取外し、天井壁２１を回動させることにより、茶葉収容コンテナ６の前後長を短縮することができる。茶葉収容コンテナ６の短縮したい前後長により、後部壁２３の前後長を変化させるとよい。
【００１８】
茶葉収容コンテナ６を分割して、前後長を短くした走行型茶葉摘採機１は、図１１に示すように、小型トラックに載せることができる。
【００１９】
茶園にて、茶葉を摘採する場合には、上記した分割時と逆の作業を行なって、茶葉収容コンテナ６を組み立てる。
【符号の説明】
【００２０】
１    走行型茶葉摘採機
２    走行装置
３    走行装置
４    門型枠
５    摘採装置
６    茶葉収容コンテナ
７    輸送ダクト
８    輸送ダクト
９    ファン
１０    ファン
１１    送風ダクト
１２    送風ダクト
１３    運転席
１４    作業者
１５    操縦部
２０    茶畝
２１    天井壁
２２    側壁
２３    後部壁
２４    下扉
２５    アーム
２６    開閉用シリンダ
２７    回動軸
２８    回動軸
２９    固定部材
３０    蝶番
３１    固定部材
３２    スナップピン
３３    スナップピン
３４    嵌合部
３５    凹部
３６    凸部
４０    トラック
【図１】
2013233134.tif 000003
【図２】
2013233134.tif 000004
【図３】
2013233134.tif 000005
【図４】
2013233134.tif 000006
【図５】
2013233134.tif 000007
【図６】
2013233134.tif 000008
【図７】
2013233134.tif 000009
【図８】
2013233134.tif 000010
【図９】
2013233134.tif 000011
【図１０】
2013233134.tif 000012
【図１１】
2013233134.tif 000013